(57)【要約】　　　（修正有）【課題】パソコンやモデムポートを用いず、利用者の電話機もしくはファクシミリ端末へ、受信電子メールの到着を通知する方式を提供する。【解決手段】利用者が電話機またはファクシミリ端末を用いて簡単な操作をすると、電話機またはファクシミリ端末はサーバーと接続する。サーバーは、利用者の受信電子メールボックスをチェックし、未読の電子メールがあるかどうか判定し、判定結果を電話機またはファクシミリ端末に送信する。電話機またはファクシミリ端末は、受信した判定結果を表示する。利用者は、判定結果を見て、パソコンを用いて受信電子メールボックスからメールを読みだす必要があるかどうか判断する。【選択図】図１
2004140657.tif 000002
【特許請求の範囲】
【請求項１】
電話機と、サーバーにおいて、次の各工程の結合からなる、電子メールの到着を通知する方式。
（ａ）利用者が、前記サーバーに、利用者の受信電子メールボックス名とユーザー名とパスワードを登録する第一工程
（ｂ）利用者が、前記電話機を用いて、前記サーバーに発呼する第二工程
（ｃ）前記サーバーが、発呼者を識別し、前記受信電子メールボックス名とユーザー名とパスワードを検索し、前記利用者の受信電子メールボックスにアクセスし、未読の電子メールの数を読み出し、前記未読電子メール数を前記電話機に送信する第三工程
（ｄ）前記電話機が、前記サーバーから受信した前記未読電子メール数を表示する第四工程
【請求項２】
電話機と、サーバーにおいて、次の各工程の結合からなる、電子メールの到着を通知する方式。
（ａ）利用者が、前記電話機に、利用者の受信電子メールボックス名とユーザー名とパスワードを登録する第一工程
（ｂ）利用者が、前記電話機を用いて、前記サーバーに発呼する第二工程
（ｃ）前記サーバーが、応答する第三工程
（ｄ）前記電話機が、前記受信電子メールボックス名とユーザー名とパスワードを送信する第四工程
（ｅ）前記サーバーが、前記受信電子メールボックス名とユーザー名とパスワードを受信し、前記利用者の受信電子メールボックスにアクセスし、未読の電子メールの数を読み出し、前記未読電子メール数を前記電話機に送信する第五工程
（ｆ）前記電話機が、前記サーバーから受信した前記未読電子メール数を表示する第六工程
【請求項３】
電話機と、サーバーにおいて、次の各工程の結合からなる、電子メールの到着を通知する方式。
（ａ）利用者が、前記サーバーに、利用者の受信電子メールボックス名とユーザー名を登録する第一工程
（ｂ）利用者が、前記電話機を用いて、前記サーバーに発呼し、パスワードを入力する第二工程
（ｃ）前記サーバーが、発呼者を識別し、前記受信電子メールボックス名とユーザー名を検索し、前記パスワードを受信し、前記利用者の受信電子メールボックスにアクセスし、未読の電子メールの数を読み出し、前記未読電子メール数を前記電話機に送信する第三工程
（ｄ）前記電話機が、前記サーバーから受信した前記未読電子メール数を表示する第四工程
【請求項４】
電話機と、サーバーにおいて、次の各工程の結合からなる、電子メールの到着を通知する方式。
（ａ）利用者が、前記サーバーに、利用者の受信電子メールボックス名とユーザー名とパスワードと受信電子メールを選別するための条件を登録する第一工程
（ｂ）利用者が、前記電話機を用いて、前記サーバーに発呼する第二工程
（ｃ）前記サーバーが、発呼者を識別し、前記受信電子メールボックス名とユーザー名とパスワードと受信メール選別条件を検索し、前記利用者の受信電子メールボックスにアクセスし、前記受信メール選別条件に合致する未読の電子メールの数を読み出し、前記未読電子メール数を前記電話機に送信する第三工程
（ｄ）前記電話機が、前記サーバーから受信した前記未読電子メール数を表示する第四工程
【請求項５】
電話機と、サーバーにおいて、次の各工程の結合からなる、電子メールの到着を通知する方式。
（ａ）利用者が、前記電話機に、利用者の受信電子メールボックス名とユーザー名とパスワードと受信電子メールを選別するための条件を登録する第一工程
（ｂ）利用者が、前記電話機を用いて、前記サーバーに発呼する第二工程
（ｃ）前記サーバーが、応答する第三工程
（ｄ）前記電話機が、前記受信電子メールボックス名とユーザー名とパスワードと受信電子メールを選別するための条件を送信する第四工程
（ｅ）前記サーバーが、前記受信電子メールボックス名とユーザー名とパスワードと受信電子メールを選別するための条件を受信し、前記利用者の受信電子メールボックスにアクセスし、前記受信メール選別条件に合致する未読の電子メールの数を読み出し、前記未読電子メール数を前記電話機に送信する第五工程
（ｆ）前記電話機が、前記サーバーから受信した前記未読電子メール数を表示する第六工程
【請求項６】
電話機と、サーバーにおいて、次の各工程の結合からなる、電子メールの到着を通知する方式。
（ａ）利用者が、前記サーバーに、利用者の受信電子メールボックス名とユーザー名と受信電子メールを選別するための条件を登録する第一工程
（ｂ）利用者が、前記電話機を用いて、前記サーバーに発呼し、パスワードを入力する第二工程
（ｃ）前記サーバーが、発呼者を識別し、前記受信電子メールボックス名とユーザー名と受信電子メールを選別するための条件を検索し、前記パスワードを受信し、前記利用者の受信電子メールボックスにアクセスし、前記受信メール選別条件に合致する未読の電子メールの数を読み出し、前記未読電子メール数を前記電話機に送信する第三工程
（ｄ）前記電話機が、前記サーバーから受信した前記未読電子メール数を表示する第四工程
【請求項７】
ファクシミリ端末と、サーバーにおいて、次の各工程の結合からなる、電子メールの到着を通知する方式。
（ａ）利用者が、前記サーバーに、利用者の受信電子メールボックス名とユーザー名とパスワードを登録する第一工程
（ｂ）利用者が、前記ファクシミリ端末を用いて、前記サーバーに発呼する第二工程
（ｃ）前記サーバーが、発呼者を識別し、前記受信電子メールボックス名とユーザー名とパスワードを検索し、前記利用者の受信電子メールボックスにアクセスし、未読の電子メールの数を読み出し、前記未読電子メール数を前記ファクシミリ端末に送信する第三工程
（ｄ）前記ファクシミリ端末が、前記サーバーから受信した前記未読電子メール数を表示する第四工程
【請求項８】
ファクシミリ端末と、サーバーにおいて、次の各工程の結合からなる、電子メールの到着を通知する方式。
（ａ）利用者が、前記ファクシミリ端末に、利用者の受信電子メールボックス名とユーザー名とパスワードを登録する第一工程
（ｂ）利用者が、前記ファクシミリ端末を用いて、前記サーバーに発呼する第二工程
（ｃ）前記サーバーが、応答する第三工程
（ｄ）前記ファクシミリ端末が、前記受信電子メールボックス名とユーザー名とパスワードを送信する第四工程
（ｅ）前記サーバーが、前記受信電子メールボックス名とユーザー名とパスワードを受信し、前記利用者の受信電子メールボックスにアクセスし、未読の電子メールの数を読み出し、前記未読電子メール数を前記ファクシミリ端末に送信する第五工程
（ｆ）前記ファクシミリ端末が、前記サーバーから受信した前記未読電子メール数を表示する第六工程
【請求項９】
ファクシミリ端末と、サーバーにおいて、次の各工程の結合からなる、電子メールの到着を通知する方式。
（ａ）利用者が、前記サーバーに、利用者の受信電子メールボックス名とユーザー名を登録する第一工程
（ｂ）利用者が、前記ファクシミリ端末を用いて、前記サーバーに発呼し、パスワードを入力する第二工程
（ｃ）前記サーバーが、発呼者を識別し、前記受信電子メールボックス名とユーザー名を検索し、前記パスワードを受信し、前記利用者の受信電子メールボックスにアクセスし、未読の電子メールの数を読み出し、前記未読電子メール数を前記ファクシミリ端末に送信する第三工程
（ｄ）前記ファクシミリ端末が、前記サーバーから受信した前記未読電子メール数を表示する第四工程
【請求項１０】
ファクシミリ端末と、サーバーにおいて、次の各工程の結合からなる、電子メールの到着を通知する方式。
（ａ）利用者が、前記サーバーに、利用者の受信電子メールボックス名とユーザー名とパスワードと受信電子メールを選別するための条件を登録する第一工程
（ｂ）利用者が、前記ファクシミリ端末を用いて、前記サーバーに発呼する第二工程
（ｃ）前記サーバーが、発呼者を識別し、前記受信電子メールボックス名とユーザー名とパスワードと受信メール選別条件を検索し、前記利用者の受信電子メールボックスにアクセスし、前記受信メール選別条件に合致する未読の電子メールの数を読み出し、前記未読電子メール数を前記ファクシミリ端末に送信する第三工程
（ｄ）前記ファクシミリ端末が、前記サーバーから受信した前記未読電子メール数を表示する第四工程
【請求項１１】
ファクシミリ端末と、サーバーにおいて、次の各工程の結合からなる、電子メールの到着を通知する方式。
（ａ）利用者が、前記ファクシミリ端末に、利用者の受信電子メールボックス名とユーザー名とパスワードと受信電子メールを選別するための条件を登録する第一工程
（ｂ）利用者が、前記ファクシミリ端末を用いて、前記サーバーに発呼する第二工程
（ｃ）前記サーバーが、応答する第三工程
（ｄ）前記ファクシミリ端末が、前記受信電子メールボックス名とユーザー名とパスワードと受信電子メールを選別するための条件を送信する第四工程
（ｅ）前記サーバーが、前記受信電子メールボックス名とユーザー名とパスワードと受信電子メールを選別するための条件を受信し、前記利用者の受信電子メールボックスにアクセスし、前記受信メール選別条件に合致する未読の電子メールの数を読み出し、前記未読電子メール数を前記ファクシミリ端末に送信する第五工程
（ｆ）前記ファクシミリ端末が、前記サーバーから受信した前記未読電子メール数を表示する第六工程
【請求項１２】
ファクシミリ端末と、サーバーにおいて、次の各工程の結合からなる、電子メールの到着を通知する方式。
（ａ）利用者が、前記サーバーに、利用者の受信電子メールボックス名とユーザー名と受信電子メールを選別するための条件を登録する第一工程
（ｂ）利用者が、前記ファクシミリ端末を用いて、前記サーバーに発呼し、パスワードを入力する第二工程
（ｃ）前記サーバーが、発呼者を識別し、前記受信電子メールボックス名とユーザー名と受信電子メールを選別するための条件を検索し、前記パスワードを受信し、前記利用者の受信電子メールボックスにアクセスし、前記受信メール選別条件に合致する未読の電子メールの数を読み出し、前記未読電子メール数を前記ファクシミリ端末に送信する第三工程
（ｄ）前記ファクシミリ端末が、前記サーバーから受信した前記未読電子メール数を表示する第四工程
【請求項１３】
電話機と、サーバーにおいて、次の各工程の結合からなる、電子メールの到着を通知する方式。
（ａ）利用者が、利用者の受信電子メールボックスに、受信した電子メールを前記サーバーに転送する設定を行う第一工程
（ｂ）前記サーバーが、転送されてきた電子メールを利用者ごとに保存する第二工程
（ｃ）利用者が、前記電話機を用いて、前記サーバーに発呼する第三工程
（ｄ）前記サーバーが、発呼者を識別し、保存している未読電子メールの数を読み出し、前記未読電子メール数を前記電話機に送信する第四工程
（ｅ）前記電話機が、前記サーバーから受信した前記未読電子メール数を表示する第五工程
【請求項１４】
電話機と、サーバーにおいて、次の各工程の結合からなる、電子メールの到着を通知する方式。
（ａ）利用者が、利用者の受信電子メールボックスに、受信した電子メールを前記サーバーに転送する設定を行う第一工程
（ｂ）利用者が、前記サーバーに受信電子メールを選別するための条件を登録する第二工程
（ｃ）前記サーバーが、転送されてきた電子メールを利用者ごとに保存する第三工程
（ｄ）利用者が、前記電話機を用いて、前記サーバーに発呼する第四工程
（ｅ）前記サーバーが、発呼者を識別し、保存している未読電子メールのうち前記受信メール選別条件に合致する未読の電子メールの数を読み出し、前記未読電子メール数を前記電話機に送信する第五工程
（ｆ）前記電話機が、前記サーバーから受信した前記未読電子メール数を表示する第六工程
【請求項１５】
電話機と、サーバーにおいて、次の各工程の結合からなる、電子メールの到着を通知する方式。
（ａ）利用者が、利用者の受信電子メールボックスに、受信した電子メールを前記サーバーに転送する設定を行う第一工程
（ｂ）利用者が、前記サーバーに受信電子メールを選別するための条件を登録する第二工程
（ｃ）前記サーバーが、転送されてきた電子メールのうち前記受信メール選別条件に合致する電子メールを利用者ごとに保存する第三工程
（ｄ）利用者が、前記電話機を用いて、前記サーバーに発呼する第四工程
（ｅ）前記サーバーが、発呼者を識別し、保存している未読電子メールの数を読み出し、前記未読電子メール数を前記電話機に送信する第五工程
（ｆ）前記電話機が、前記サーバーから受信した前記未読電子メール数を表示する第六工程
【請求項１６】
ファクシミリ端末と、サーバーにおいて、次の各工程の結合からなる、電子メールの到着を通知する方式。
（ａ）利用者が、利用者の受信電子メールボックスに、受信した電子メールを前記サーバーに転送する設定を行う第一工程
（ｂ）前記サーバーが、転送されてきた電子メールを利用者ごとに保存する第二工程
（ｃ）利用者が、前記ファクシミリ端末を用いて、前記サーバーに発呼する第三工程
（ｄ）前記サーバーが、発呼者を識別し、保存している未読電子メールの数を読み出し、前記未読電子メール数を前記ファクシミリ端末に送信する第四工程
（ｅ）前記ファクシミリ端末が、前記サーバーから受信した前記未読電子メール数を表示する第五工程
【請求項１７】
ファクシミリ端末と、サーバーにおいて、次の各工程の結合からなる、電子メールの到着を通知する方式。
（ａ）利用者が、利用者の受信電子メールボックスに、受信した電子メールを前記サーバーに転送する設定を行う第一工程
（ｂ）利用者が、前記サーバーに受信電子メールを選別するための条件を登録する第二工程
（ｃ）前記サーバーが、転送されてきた電子メールを利用者ごとに保存する第三工程
（ｄ）利用者が、前記ファクシミリ端末を用いて、前記サーバーに発呼する第四工程
（ｅ）前記サーバーが、発呼者を識別し、保存している未読電子メールのうち前記受信メール選別条件に合致する未読の電子メールの数を読み出し、前記未読電子メール数を前記ファクシミリ端末に送信する第五工程
（ｆ）前記ファクシミリ端末が、前記サーバーから受信した前記未読電子メール数を表示する第六工程
【請求項１８】
ファクシミリ端末と、サーバーにおいて、次の各工程の結合からなる、電子メールの到着を通知する方式。
（ａ）利用者が、利用者の受信電子メールボックスに、受信した電子メールを前記サーバーに転送する設定を行う第一工程
（ｂ）利用者が、前記サーバーに受信電子メールを選別するための条件を登録する第二工程
（ｃ）前記サーバーが、転送されてきた電子メールのうち前記受信メール選別条件に合致する電子メールを利用者ごとに保存する第三工程
（ｄ）利用者が、前記ファクシミリ端末を用いて、前記サーバーに発呼する第四工程
（ｅ）前記サーバーが、発呼者を識別し、保存している未読電子メールの数を読み出し、前記未読電子メール数を前記ファクシミリ端末に送信する第五工程
（ｆ）前記ファクシミリ端末が、前記サーバーから受信した前記未読電子メール数を表示する第六工程
【発明の詳細な説明】
【０００１】
【産業上の利用分野】
本発明は、電子メールの到着を通知する方式に関する。
【０００２】
【従来の技術】
通信手段として、電子メールが広く使われている。電子メールを送受信する端末には、パソコン、携帯電話機、ＰＨＳ電話機、ＰＤＡ端末などいろいろ使われている。パソコンを用いる場合、インターネットに接続し、Ｗｅｂブラウザや電子メールソフトを用いて、受信した電子メールを読む。
【０００３】
パソコンで電子メールを読む場合、電子メールサービスプロバイダは受信メールが受信電子メールボックスに到着すると、受信電子メールボックスに保存し、利用者が読み出すのを待つ。電子メールサービスプロバイダは、利用者に対し、電子メールの到着を通知しない。そのため、利用者は、受信電子メールボックスにアクセスしないと、未読のメールがあるかどうかわからない。
【０００４】
パソコンが身近に置いてあれば、頻繁にチェックすることが可能だが、パソコンが離れた場所に置いてある場合、チェックのたびにパソコンの設置場所に行って操作しなければならず、大変面倒であるという問題があった。
【０００５】
パソコンの電源を常時入れておき、メールソフトが定期的に自動チェックをする方法もあるが、未読のメールがあった場合、その旨を利用者に知らせる簡便な方法がない。パソコンが音を出して知らせる方法では、パソコンの音が容易に聴こえないような場所に利用者がいたら知らせることができない。
【０００６】
インターネット接続の方法のひとつに、加入電話網を通じ、インターネットサービスプロバイダのモデムポートにダイヤルアップ接続する方法がある。接続中は、ひとつのモデムポートをひとりの利用者が占有してしまうので、モデムポートの数より、同時に接続する利用者の数が多くなれば、モデムポートが不足して、あふれた利用者は接続できなくなる。そのため、インターネットサービスプロバイダは、利用者の数に応じて、十分な数のモデムポートを提供しておかなければならない。インターネットサービスは、定額制が多く、たとえ利用者が頻繁に接続して受信電子メールボックスをチェックしても、インターネットサービスプロバイダの収入は変わらない。利用者のチェック頻度が多くなればなるほど、多くのモデムポートが必要となり、設備投資費用、回線の維持費用、保守運用費用などが増え、インターネットサービスプロバイダの負担がおおきくなるという問題があった。
【０００７】
【発明が解決しようとする課題】
以上のように、従来の方法では、受信電子メールボックスに未読の電子メールがあるかどうかチェックするためにはパソコンを操作しなければならず、利用者にとっては、時間がかかる、手順が面倒である、という問題が、インターネットサービスプロバイダにとってはモデムポートが多く必要であるという問題があった。
【０００８】
本発明の目的は、上記課題を解決するもので、パソコンやモデムポートを用いず、利用者の電話機もしくはファクシミリ端末へ、受信電子メールの到着を通知する方式を提供することにある。
【０００９】
【課題を解決するための手段】
上記目的を達成するために、本発明の電子メールの到着を通知する方式は、利用者が電話機またはファクシミリ端末を用いて簡単な操作をすると、電話機またはファクシミリ端末はサーバーと接続する。サーバーは、利用者の受信電子メールボックスをチェックし、未読の電子メールがあるかどうか判定し、判定結果を電話機またはファクシミリ端末に送信する。電話機またはファクシミリ端末は、受信した判定結果を表示する。利用者は、判定結果を見て、パソコンを用いて受信電子メールボックスからメールを読みだす必要があるかどうか判断する。
【００１０】
上記の課題を解決するための手段では、サーバーは、利用者の受信電子メールボックスに未読の電子メールが何通あるか読み出し、未読電子メール数を電話機またはファクシミリ端末に表示する。別の手段では、あらかじめ利用者が設定した選別条件に合致する未読電子メールだけの数を電話機またはファクシミリ端末に表示する。ここの選別条件とは、次のような例がある。例１は、送信者を指定して、その送信者から送られてきたメールだけを対象とする。例２は、送信者のメールアドレスのドメイン名を指定して、そのドメイン名をもつ送信者から送られてきたメールだけを対象とする。例３は、メールの重要度を指定して、指定した重要度以上の重要度をもつメールだけを対象とする。例４は、キーワードを指定して、指定したキーワードが含まれているメールだけを対象とする。この例のほかにも、利用者の希望に応じて、選別条件を設定することがある。
【００１１】
【実施例】
実施例を、図面を用いて説明する。第１図は、本発明による電子メールの到着を通知する方式の一実施例を示すブロック図である。１は利用者の電話機またはファクシミリ端末、２は表示部、３は加入電話網、４は通信装置、５はインターネット網、６はサーバー、７はデータベース、８は電子メールサービスプロバイダ、９は受信電子メールボックスである。
【００１２】
請求項１と請求項７に示す、本発明の電子メールの到着を通知する方式について第１図と第２図を参照して説明する。まず、利用者は、受信電子メールボックス名とユーザー名とパスワードをサーバー６に登録する（Ｓ１）。この登録する方法としては、インターネット網を通じて利用者がサーバーに登録する方法や、利用者がファクシミリ、郵便などを利用してサーバーに登録する方法などがある。電子メールの到着を知りたいときに、利用者は、電話機またはファクシミリ端末１を操作して、サーバー６に発呼する。サーバー６は、発呼者を識別し、先に登録されている受信電子メールボックス名とユーザー名とパスワードをデータベース７から読み出す。サーバー６は、読み出した受信電子メールボックス名とユーザー名とパスワードを用いて、電子メールサービスプロバイダ８の受信電子メールボックス９にアクセスし（Ｓ３）、未読電子メール数を読み出し（Ｓ４）、電話機またはファクシミリ端末１へ送信する（Ｓ５）。電話機またはファクシミリ端末１は、受信した未読電子メール数を表示部２に表示する。利用者は、この表示を見て、未読電子メール数を知る。
【００１３】
請求項２と請求項８に示す、本発明の電子メールの到着を通知する方式について第１図と第３図を参照して説明する。まず、利用者は、受信電子メールボックス名とユーザー名とパスワードを電話機またはファクシミリ端末１に登録する。電子メールの到着を知りたいときに、利用者は、電話機またはファクシミリ端末１を操作して、サーバー６に発呼し、記憶している受信電子メールボックス名とユーザー名とパスワードを送信する（Ｓ２）。サーバー６は、受信した受信電子メールボックス名とユーザー名とパスワードを用いて、電子メールサービスプロバイダ８の受信電子メールボックス９にアクセスし（Ｓ３）、未読電子メール数を読み出し（Ｓ４）、電話機またはファクシミリ端末１へ送信する（Ｓ５）。電話機またはファクシミリ端末１は、受信した未読電子メール数を表示部２に表示する。利用者は、この表示を見て、未読電子メール数を知る。
【００１４】
請求項３と請求項９に示す、本発明の電子メールの到着を通知する方式について第１図と第４図を参照して説明する。まず、利用者は、受信電子メールボックス名とユーザー名をサーバー６に登録する（Ｓ１）。この登録する方法としては、インターネット網を通じて利用者がサーバーに登録する方法や、利用者がファクシミリ、郵便などを利用してサーバーに登録する方法などがある。電子メールの到着を知りたいときに、利用者は、電話機またはファクシミリ端末１を操作して、サーバー６に発呼する。サーバー６は、発呼者を識別し、先に登録されている受信電子メールボックス名とユーザー名をデータベース７から読み出す。利用者は、電話機またはファクシミリ端末１のキーを押してパスワードを入力する。サーバー６は、読み出した受信電子メールボックス名とユーザー名と、受信したパスワードを用いて、電子メールサービスプロバイダ８の受信電子メールボックス９にアクセスし（Ｓ３）、未読電子メール数を読み出し（Ｓ４）、電話機またはファクシミリ端末１へ送信する（Ｓ５）。電話機またはファクシミリ端末１は、受信した未読電子メール数を表示部２に表示する。利用者は、この表示を見て、未読電子メール数を知る。
【００１５】
請求項４と請求項１０に示す、本発明の電子メールの到着を通知する方式について第１図と第５図を参照して説明する。まず、利用者は、受信電子メールボックス名とユーザー名とパスワードと受信電子メール選別条件をサーバー６に登録する（Ｓ１）。この登録する方法としては、インターネット網を通じて利用者がサーバーに登録する方法や、利用者がファクシミリ、郵便などを利用してサーバーに登録する方法などがある。電子メールの到着を知りたいときに、利用者は、電話機またはファクシミリ端末１を操作して、サーバー６に発呼する。サーバー６は、発呼者を識別し、先に登録されている受信電子メールボックス名とユーザー名とパスワードと受信電子メール選別条件をデータベース７から読み出す。サーバー６は、読み出した受信電子メールボックス名とユーザー名とパスワードを用いて、電子メールサービスプロバイダ８の受信電子メールボックス９にアクセスし（Ｓ３）、受信電子メール選別条件に合致する未読電子メール数を読み出し（Ｓ４）、電話機またはファクシミリ端末１へ送信する（Ｓ５）。電話機またはファクシミリ端末１は、受信した未読電子メール数を表示部２に表示する。利用者は、この表示を見て、未読電子メール数を知る。
【００１６】
請求項５と請求項１１に示す、本発明の電子メールの到着を通知する方式について第１図と第６図を参照して説明する。まず、利用者は、受信電子メールボックス名とユーザー名とパスワードと受信電子メール選別条件を電話機またはファクシミリ端末１に登録する。電子メールの到着を知りたいときに、利用者は、電話機またはファクシミリ端末１を操作して、サーバー６に発呼し、記憶している受信電子メールボックス名とユーザー名とパスワードと受信電子メール選別条件を送信する（Ｓ２）。サーバー６は、受信した受信電子メールボックス名とユーザー名とパスワードを用いて、電子メールサービスプロバイダ８の受信電子メールボックス９にアクセスし（Ｓ３）、受信電子メール選別条件に合致する未読電子メール数を読み出し（Ｓ４）、電話機またはファクシミリ端末１へ送信する（Ｓ５）。電話機またはファクシミリ端末１は、受信した未読電子メール数を表示部２に表示する。利用者は、この表示を見て、未読電子メール数を知る。
【００１７】
請求項６と請求項１２に示す、本発明の電子メールの到着を通知する方式について第１図と第７図を参照して説明する。まず、利用者は、受信電子メールボックス名とユーザー名と受信電子メール選別条件をサーバー６に登録する（Ｓ１）。この登録する方法としては、インターネット網を通じて利用者がサーバーに登録する方法や、利用者がファクシミリ、郵便などを利用してサーバーに登録する方法などがある。電子メールの到着を知りたいときに、利用者は、電話機またはファクシミリ端末１を操作して、サーバー６に発呼する。サーバー６は、発呼者を識別し、先に登録されている受信電子メールボックス名とユーザー名と受信電子メール選別条件をデータベース７から読み出す。利用者は、電話機またはファクシミリ端末１のキーを押してパスワードを入力する。サーバー６は、読み出した受信電子メールボックス名とユーザー名と、受信したパスワードを用いて、電子メールサービスプロバイダ８の受信電子メールボックス９にアクセスし（Ｓ３）、受信電子メール選別条件に合致する未読電子メール数を読み出し（Ｓ４）、電話機またはファクシミリ端末１へ送信する（Ｓ５）。電話機またはファクシミリ端末１は、受信した未読電子メール数を表示部２に表示する。利用者は、この表示を見て、未読電子メール数を知る。
【００１８】
請求項１３と請求項１６に示す、本発明の電子メールの到着を通知する方式について第１図と第８図を参照して説明する。まず、利用者は、受信電子メールをサーバーに転送するように、電子メールサービスプロバイダ８の受信電子メールボックス９を設定する（Ｓ１）。受信電子メールボックス９が受信した電子メールは、サーバー６に転送される（Ｓ２）。サーバー６は、利用者ごとに受信した電子メールをデータベース７に保存しておく。電子メールの到着を知りたいときに、利用者は、電話機またはファクシミリ端末１を操作して、サーバー６に発呼する。サーバー６は、発呼者を識別し、データベース７を検索し、未読電子メール数を読み出し、電話機またはファクシミリ端末１へ送信する（Ｓ４）。電話機またはファクシミリ端末１は、受信した未読電子メール数を表示部２に表示する。利用者は、この表示を見て、未読電子メール数を知る。
【００１９】
請求項１４と請求項１７に示す、本発明の電子メールの到着を通知する方式について第１図と第９図を参照して説明する。まず、利用者は、受信電子メールをサーバーに転送するように、電子メールサービスプロバイダ８の受信電子メールボックス９を設定する（Ｓ１）。また、利用者は、受信電子メールを選別するための条件をサーバー６に登録する（Ｓ１）。受信電子メールボックス９が受信した電子メールは、サーバー６に転送される（Ｓ２）。サーバー６は、利用者ごとに受信した電子メールをデータベース７に保存しておく。電子メールの到着を知りたいときに、利用者は、電話機またはファクシミリ端末１を操作して、サーバー６に発呼する。サーバー６は、発呼者を識別し、データベース７を検索し、選別条件に合致する未読電子メール数を読み出し、電話機またはファクシミリ端末１へ送信する（Ｓ４）。電話機またはファクシミリ端末１は、受信した未読電子メール数を表示部２に表示する。利用者は、この表示を見て、未読電子メール数を知る。
【００２０】
請求項１５と請求項１８に示す、本発明の電子メールの到着を通知する方式について第１図と第１０図を参照して説明する。まず、利用者は、受信電子メールをサーバーに転送するように、電子メールサービスプロバイダ８の受信電子メールボックス９を設定する（Ｓ１）。また、利用者は、受信電子メールを選別するための条件をサーバー６に登録する（Ｓ１）。受信電子メールボックス９が受信した電子メールは、サーバー６に転送される（Ｓ２）。サーバー６は、利用者ごとに受信した電子メールのうち選別条件に合致する電子メールをデータベース７に保存しておく。電子メールの到着を知りたいときに、利用者は、電話機またはファクシミリ端末１を操作して、サーバー６に発呼する。サーバー６は、発呼者を識別し、データベース７を検索し、未読電子メール数を読み出し、電話機またはファクシミリ端末１へ送信する（Ｓ４）。電話機またはファクシミリ端末１は、受信した未読電子メール数を表示部２に表示する。利用者は、この表示を見て、未読電子メール数を知る。
【００２１】
【発明の効果】
以上説明したように、本発明の電子メールの到着を通知する方式は、利用者にとって、パソコンを使わずに、電話機またはファクシミリ端末１を操作するだけで、電子メールの到着を知ることができるという効果がある。
【００２２】
【図面の簡単な説明】
【第１図】本発明の電子メールの到着を通知する方式の一実施例を示すブロック図である。
【符号の説明】１　利用者の電話機またはファクシミリ端末
２　表示部
３　加入電話網
４　通信装置
５　インターネット網
６　サーバー
７　データベース
８　電子メールサービスプロバイダ
９　受信電子メールボックス
【図１】
2004140657.tif 000003
【図２】
2004140657.tif 000004
【図３】
2004140657.tif 000005
【図４】
2004140657.tif 000006
【図５】
2004140657.tif 000007
【図６】
2004140657.tif 000008
【図７】
2004140657.tif 000009
【図８】
2004140657.tif 000010
【図９】
2004140657.tif 000011
【図１０】
2004140657.tif 000012
【手続補正書】
【提出日】平成14年11月6日(2002.11.6)
【手続補正１】
【補正対象書類名】明細書
【補正対象項目名】図面の簡単な説明
【補正方法】変更
【補正の内容】
【図面の簡単な説明】
【図１】本発明の電子メールの到着を通知する方式の一実施例を示すブロック図である。
【図２】本発明の電子メールの到着を通知する方式のうち、受信電子メールボックス名とユーザー名とパスワードをサーバーに登録しておく方式の一実施例を示すシーケンス図である。
【図３】本発明の電子メールの到着を通知する方式のうち、受信電子メールボックス名とユーザー名とパスワードを電話機またはファクシミリ端末に登録しておく方式の一実施例を示すシーケンス図である。
【図４】本発明の電子メールの到着を通知する方式のうち、受信電子メールボックス名とユーザー名をサーバーに登録しておく方式の一実施例を示すシーケンス図である。
【図５】本発明の電子メールの到着を通知する方式のうち、受信電子メールボックス名とユーザー名とパスワードと選別条件をサーバーに登録しておく方式の一実施例を示すシーケンス図である。
【図６】本発明の電子メールの到着を通知する方式のうち、受信電子メールボックス名とユーザー名とパスワードと選別条件を電話機またはファクシミリ端末に登録しておく方式の一実施例を示すシーケンス図である。
【図７】本発明の電子メールの到着を通知する方式のうち、受信電子メールボックス名とユーザー名と選別条件をサーバーに登録しておく方式の一実施例を示すシーケンス図である。
【図８】本発明の電子メールの到着を通知する方式のうち、受信電子メールをサーバーに転送するように受信電子メールボックスに設定しておく方式の一実施例を示すシーケンス図である。
【図９】本発明の電子メールの到着を通知する方式のうち、受信電子メールをサーバーに転送するように受信電子メールボックスに設定しておき、選別条件をサーバーに登録しておき、転送されてきた受信電子メールをすべてサーバーに保存しておく方式の一実施例を示すシーケンス図である。
【図１０】本発明の電子メールの到着を通知する方式のうち、受信電子メールをサーバーに転送するように受信電子メールボックスに設定しておき、選別条件をサーバーに登録しておき、転送されてきた受信電子メールのうち選別条件に合致するものだけをサーバーに保存しておく方式の一実施例を示すシーケンス図である。
【符号の説明】１　利用者の電話機またはファクシミリ端末
２　表示部
３　加入電話網
４　通信装置
５　インターネット網
６　サーバー
７　データベース
８　電子メールサービスプロバイダ
９　受信電子メールボックス